(57)【特許請求の範囲】
【請求項１】
罫線付き原稿を画像読取装置により読み取って得られたＮ×Ｍ画素数を有する画像データから不明瞭な罫線情報を除去する画像処理装置であって、
該画像データの一の画素を着目画素として、該着目画素を中心とするＸ×Ｙ（Ｘ＜＜ＮかつＹ＜＜Ｍ）画素のマトリクス内で濃度が第１閾値以上の着色画素がなく、かつ、該着目画素を中心とするＶ×Ｗ（Ｘ＜Ｖ＜＜ＮかつＹ＜Ｗ＜＜Ｍ）画素のマトリクス内で該着目画素との色差又は濃度差が第２閾値以下の画素の個数が第３閾値より少ないときに、該着目画素の色値を白色値に変更して、該不明瞭な罫線情報に係わる画素を除去する罫線除去部、
を具備することを特徴とする画像処理装置。
【請求項２】
該画像データに対し該罫線除去部による処理が施される前に、該画像データに対しぼかし処理を施すぼかし処理部をさらに具備することを特徴とする請求項１に記載の画像処理装置。
【請求項３】
該画像データに対し該罫線除去部による処理が施される前に、該画像データから孤立点ノイズを取り除くノイズ除去部をさらに具備することを特徴とする請求項１又は２に記載の画像処理装置。
【請求項４】
該画像データから影情報を取り除く影除去部をさらに具備することを特徴とする請求項１乃至３のいずれか１つに記載の画像処理装置。
【請求項５】
該画像データに対し該罫線除去部による処理が施された後に、該画像データに対しシャープネス処理を施すシャープネス処理部をさらに具備することを特徴とする請求項１乃至４のいずれか１つに記載の画像処理装置。
【請求項６】
コンピュータのプロセッサに対し、罫線付き原稿を画像読取装置により読み取って得られたＮ×Ｍ画素数を有する画像データから不明瞭な罫線情報を除去させる画像処理プログラムであって、
該プロセッサに対し、該画像データの一の画素を着目画素として、該着目画素を中心とするＸ×Ｙ（Ｘ＜＜ＮかつＹ＜＜Ｍ）画素のマトリクス内で濃度が第１閾値以上の着色画素がなく、かつ、該着目画素を中心とするＶ×Ｗ（Ｘ＜Ｖ＜＜ＮかつＹ＜Ｗ＜＜Ｍ）画素のマトリクス内で該着目画素との色差又は濃度差が第２閾値以下の画素の個数が第３閾値より少ないときに、該着目画素の色値を白色値に変更させることにより、該不明瞭な罫線情報に係わる画素を除去させる、
ことを特徴とする画像処理プログラム。
【発明の詳細な説明】
【技術分野】
【０００１】
本発明は、画像処理に係わり、特に、画像データから不必要な情報を除去する機能を具備した画像処理装置及び画像処理プログラムに関する。
【背景技術】
【０００２】
スキャナ等の画像読取装置で原稿を読み取って得られた画像データには、ノイズや影などユーザにとって不必要な情報が含まれる。特に、レポート用紙やキャンパスノートに文字等が書き込まれた罫線付き原稿を読み取って得られた画像データには、罫線の濃度が薄いためその全ての情報を読み取りきれず、罫線がユーザにとって不必要な情報として含まれる場合がある。
【０００３】
図２（ａ）は、文字等が書き込まれた罫線付き原稿の説明図であり、図２（ｂ）は、図２（ａ）に示す罫線付き原稿を読み取って得られた画像データの説明図である。これらの図から、明瞭な罫線１００１、ノイズ１００２及び影１００３などの情報の他に、実際は連続線である罫線が、読取画像データ内では不規則的な長さで連続している点線或いは無数の点情報として含まれていることが分かる。このような罫線１００４は、ノイズと同様、ユーザにとって不必要な情報である（以下、点線情報或いは点情報となった罫線を「不明瞭な罫線情報」と称す）。
【０００４】
そこで、下記特許文献１及び下記特許文献２では、スキャナで読み取って得られた画像データから罫線情報を抽出し、該罫線情報を一括して除去することが開示されている。
【０００５】
また、下記特許文献３では、画像データから文字やノイズ等の各々に外接する矩形を抽出し、これらの外接矩形からノイズと成り得る候補を抽出し、該候補となった外接矩形と周辺の矩形との関係からノイズであるとみなす外接矩形であるか否か判定し、肯定判定した場合にこれを除去することが開示されている。
【特許文献１】特許第３０７９５０８号公報
【特許文献２】特開２００２−３６６９００号公報
【特許文献３】特開２００６−７２８３９号公報
【発明の開示】
【発明が解決しようとする課題】
【０００６】
しかしながら、上記特許文献１及び２の発明はいずれも、スキャナにより綺麗に読み取られ、罫線だと認識可能な情報（以下、「明瞭な罫線情報」と称す）を除去するものであって、上記不明瞭な罫線情報１００４は除去されない。
【０００７】
また、上記特許文献３の発明は、専ら一般的なノイズ（ゴマ塩状の孤立点ノイズ等）を除去しており、上記不明瞭な罫線情報をノイズとみなして除去する記載はない。なお、不明瞭な罫線がノイズと同等とみなせる程度の点情報であれば、上記ノイズ除去処理を施して該不明瞭な罫線情報を除去することが可能ではあるが、一般に不明瞭な罫線全てがノイズと同等とみなせる程度の点情報になることはない。
【０００８】
本発明の目的は、上記問題点に鑑み、罫線付き画像データから明瞭な罫線情報は残し、不明瞭な罫線情報を除去することが可能な画像処理装置及び画像処理プログラムを提供することにある。
【課題を解決するための手段】
【０００９】
本発明による画像処理装置の第１態様では、
罫線付き原稿を画像読取装置により読み取って得られたＮ×Ｍ画素数を有する画像データから不明瞭な罫線情報を除去する画像処理装置であって、
該画像データの一の画素を着目画素として、該着目画素を中心とするＸ×Ｙ（Ｘ＜＜ＮかつＹ＜＜Ｍ）画素のマトリクス内で濃度が第１閾値以上の着色画素がなく、かつ、該着目画素を中心とするＶ×Ｗ（Ｘ＜Ｖ＜＜ＮかつＹ＜Ｗ＜＜Ｍ）画素のマトリクス内で該着目画素との色差又は濃度差が第２閾値以下の画素の個数が第３閾値より少ないときに、該着目画素の色値を白色値に変更して、該不明瞭な罫線情報に係わる画素を除去する罫線除去部、
を具備し、ここにＮ、Ｍ、Ｘ、Ｙ、Ｖ及びＷはそれぞれ正の整数であることを特徴とする。
【００１０】
本発明による画像処理装置の第２態様では、第１態様において、
該罫線除去部が該画像データに処理を施す前に、該画像データに対しぼかし処理を施すぼかし処理部をさらに具備することを特徴とする。
【００１１】
本発明による画像処理装置の第３態様では、第１又は第２態様において、
該罫線除去部が該画像データに処理を施す前に、該画像データに対しノイズ除去処理を施すノイズ除去部をさらに具備することを特徴とする。
【００１２】
本発明による画像処理装置の第４態様では、第３態様において、
該画像データから影情報を取り除く影除去部をさらに具備することを特徴とする。
【００１３】
本発明による画像処理装置の第５態様では、第４又は第５態様において、
上記各種画像処理の最後に、該画像データに対しシャープネス処理を施すシャープネス処理部をさらに具備することを特徴とする。
【発明の効果】
【００１４】
上記第１態様の構成によれば、罫線付き原稿を画像読取装置により読み取って得られたＮ×Ｍ画素数を有する画像データに対し、その一の画素を着目画素として、該着目画素を中心とするＸ×Ｙ（Ｘ＜＜ＮかつＹ＜＜Ｍ）画素のマトリクス内で濃度が第１閾値以上の着色画素がなく、かつ、該着目画素を中心とするＶ×Ｗ（Ｘ＜Ｖ＜＜ＮかつＹ＜Ｗ＜＜Ｍ）画素のマトリクス内で該着目画素との色差又は濃度差が第２閾値以下の画素の個数が第３閾値より少ないときに、該着目画素の色値を白色値に変更するので、明瞭な罫線に係わる画素は残し、該不明瞭な罫線情報に係わる画素を除去することが可能であるという効果を奏する。
【００１５】
上記第２態様の構成によれば、罫線除去部が画像データに処理を施す前に、該画像データに対しぼかし処理を施すので、前処理の段階で不必要な情報を軽減することができ、罫線除去部はその前処理で除去しきれない情報についてのみ処理すればよく、罫線除去部の処理の負担を下げることが可能であるという効果を奏する。
【００１６】
上記第３態様の構成によれば、罫線除去部が画像データに処理を施す前に、該画像データに対しノイズ除去処理を施すので、前処理の段階で不必要な情報を軽減することができ、罫線除去部はその前処理で除去しきれない情報についてのみ処理すればよく、罫線除去部の処理の負担を下げることが可能であるという効果を奏する。
【００１７】
上記第４態様の構成によれば、画像データから影情報を取り除くので、上記態様に比べ画像データから不必要な情報をさらに除去することができ、印刷コストの負担を下げることが可能であるという効果を奏する。
【００１８】
上記第５態様の構成によれば、罫線除去部が画像データに処理を施した後に、画像データに対しシャープネス処理を施すので、上記態様に比べ画質を向上することが可能であるという効果を奏する。
【００１９】
本発明の他の目的、構成及び効果は以下の説明から明らかになる。
【実施例１】
【００２０】
［１］画像形成装置のハードウェア構成
【００２１】
図５は、本発明の実施例１に係わる画像形成装置１０のハードウェア構成を示す概略ブロック図である。画像形成装置１０は、カラースキャン、カラープリント及びカラーコピーが可能なデジタルカラー画像形成装置である。
【００２２】
この画像形成装置１０では、ＭＰＵ１１にインタフェース１２を介してＥＥＰＲＯＭ１３Ｅ１、ＥＥＰＲＯＭ１３Ｅ２、ＤＲＡＭ１３Ｄ、ＨＤＤ１４、操作パネル１５、スキャナ１６Ｓ、プリンタ１６Ｐ、ＮＩＣ１７、ファクシミリモデム１８及び圧縮・伸張ＡＳＩＣ１９が結合されている。図５では、簡単化のため、複数のインタフェースを１つのブロックで示している。
【００２３】
ＥＥＰＲＯＭ１３Ｅ１及び１３Ｅ２は、例えばフラッシュメモリである。ＥＥＰＲＯＭ１３Ｅ１には、ＢＩＯＳ（Basic Input Output System）が格納されている。ＥＥＰＲＯＭ１３Ｅ２には、ＯＳやアプリケーションなど通常の画像形成装置が備えるソフトウェアに加え、本発明に係わる後述の画像処理プログラム２０が格納されている。ＤＲＡＭ１３Ｄはワークエリア用であり、ＨＤＤ１４はデータ格納用である。
【００２４】
操作パネル１５は、設定値又は指示を入力し、設定画面や状態などを表示させるためのものである。本実施例１では、操作パネル１５がタッチパネルとハードウェアキーの組み合わせで構成されている場合を説明する。
【００２５】
スキャナ１６Ｓは、スキャン、コピー及びファックス送信での画像入力に用いられる。画像出力手段としてのプリンタ１６Ｐは、プリントエンジン、定着器並びに用紙の給紙部、搬送部及び排紙部を備え、供給されるビットマップデータに基づいてプリントエンジンの感光ドラムに静電潜像を形成し、これをトナーで現像し、用紙に転写し定着させた後に排紙する。
【００２６】
ＮＩＣ１７は、ケーブル又は無線の通信媒体を介してネットワーク上のホストコンピュータ（不図示）に結合され、プリントジョブ、電子メール送受信及びインターネットファクシミリ送信に用いられる。ファクシミリモデム１８は、ファクシミリ送受信用である。
【００２７】
圧縮・伸張ＡＳＩＣ１９は、ＭＰＵ１１のコプロセッサとして用いられる。
［２］本発明に係わる画像形成装置の一部機能構成
図１は、本発明の実施例１に係わる画像形成装置１０の一部機能ブロックを示す図である。
【００２８】
画像形成装置１０は、原稿を読み取って画像信号を取得するためのスキャナ１６Ｓと、この画像信号をＡ／Ｄ変換して得られる画像データに各種のデータ処理を施す画像処理部１００と、画像処理部１００による処理後のデータに基づいて原稿画像を記録用紙上に出力するプリンタ１６Ｐと、を主に備えている。
【００２９】
スキャナ１６Ｓは、原稿を光学的に読み取って、画素ごとにＲ（赤）、Ｇ（緑）及びＢ（青）の三原色を表すアナログ画像信号を出力するカラー画像撮像素子の一例であるＣＣＤ素子（不図示）を備えている。このＣＣＤ素子の出力信号は、画像処理部１００に与えられる。
【００３０】
画像処理部１００は、ＭＰＵ１１、ＥＥＰＲＯＭ１３Ｅ２及びこれに格納された画像処理プログラム２０で構成することができ、ＭＰＵ１１が画像処理プログラム２０を実行することにより、その機能が実現される。画像処理部１００の機能部として、Ａ／Ｄ変換部１１０と、画像データ記憶部１１１と、ＣＭＹ変換部１１２と、ぼかし処理部１１３と、ノイズ除去部１１４と、影除去部１１５と、罫線除去部１１６と、シャープネス処理部１１７と、がある。なお、これら機能の一部は電子回路によって実現することも可能である。
【００３１】
Ａ／Ｄ変換部１１０は、スキャナ１６Ｓから与えられる各色のアナログ画像信号を、例えば８ビットのデジタル信号に変換し、画像データとして画像データ記憶部１１１に格納する。
【００３２】
画像データ記憶部１１１は、例えばＤＲＡＭ１３Ｄであり、スキャナ１６Ｓで取得した画像データを格納する。この記憶部１１１上の画像データに対し、以下各機能部は各々の処理を施す。
【００３３】
ＣＭＹ変換部１１２は、画像データ記憶部１１１からＡ／Ｄ変換後のＲＧＢの色成分の画像データを読み出し、これをＣ（シアン）、Ｍ（マゼンダ）及びＹ（イエロー）の各色成分の濃度を表す画像データに色変換する。
【００３４】
ぼかし処理部１１３は、上記色変換後画像データを画像データ記憶部１１１から読み出し、該画像データ内にある、輪郭を形成しない領域を抽出し、この領域に対し例えば移動平均法及びメディアンフィルターなどの公知のぼかし（平滑化）処理を施す。ここで、本実施例では濃度ヒストグラムを作成し、この中で着色濃度が閾値以下（例えば１０％以下）の領域を「輪郭を形成しない領域」としている。
【００３５】
上記ぼかし処理では、画像データからノイズ１００２、影１００３及び不明瞭な罫線１００４を含む不必要な情報を軽減することができるが、完全には除去しきれないため以降のノイズ除去部１１４、影除去部１１５及び罫線除去部１１６で不必要な情報の各々を対象として除去処理を施す。
【００３６】
ノイズ除去部１１４は、上記ぼかし処理後の画像データを画像データ記憶部１１１から読み出し、例えば特開２００７−１２９４６０号公報や上記特許文献３などの公知のノイズ除去処理を行う。これらノイズ処理では、背景技術の欄で説明したように、ノイズとともに不明瞭な罫線１００４の一部を除去することが可能だが、完全には除去しきれない。
【００３７】
影除去部１１５は、上記ノイズ除去後の画像データを画像データ記憶部１１１から読み出し、例えば該画像データの画像について上下左右の端からそれぞれ９９画素以内の領域で、着色画素がある場合には、その色情報（ＣＭＹ値）を保持する。保持した複数のＣＭＹ値から各色成分の平均値（Ｃ１、Ｍ１、Ｙ１）と標準偏差（σ１、σ２、σ３）を求め、該９９画素以内の領域で、（Ｃ１±σ１、Ｍ１±σ２、Ｙ１±σ３）の範囲内のＣＭＹ値を有した着色画素を全て除去する（該着色画素の色値を白色の色値にする）。
【００３８】
罫線除去部１１６は、本発明に係わる機能部であって、影除去後の画像データを画像データ記憶部１１１から読み出し、上記ぼかし処理、ノイズ除去処理及び影除去処理では除去しきれない不明瞭な罫線情報１００４を除去するものであり、その詳細は後述する。
【００３９】
シャープネス処理部１１７は、不明瞭な罫線除去後の画像データを画像データ記憶部１１１から読み出し、文字等の輪郭を強調するため、該画像データに対し、例えばラプラシアンフィルタ又はフーリエ変換などによるシャープネス処理を施す。シャープネス処理後の画像データは、プリンタ１６Ｐに与えられ、プリンタ１６Ｐは、入力された画像データに基づく画像を記録用紙上に出力する。
［３］罫線付き原稿に対する本発明の適用
以上の構成を備えた画像形成装置１０にて、図２（ａ）に示す罫線付き原稿１０００をコピーする場合を、図１を用いて説明する。以下、括弧内は図１中のステップ識別符号である。
【００４０】
（Ｓ１、Ｓ２）ユーザが罫線付き原稿１０００をスキャナ１６Ｓの原稿台にセットして、操作パネル１５上のスタート釦（不図示）を押下すると、該用紙１０００がスキャナ１６Ｓによって読み取られ、読み取って得られた各色のアナログ画像信号はＡ／Ｄ変換部１１０にてデジタル信号化され、画像データとして画像データ記憶部１１１に格納される。
【００４１】
（Ｓ３）画像データ記憶部１１１に格納された画像データは、ＣＭＹ変換部１１２を通って色変換処理が施される。
【００４２】
上記変換後の画像データは、図２（ｂ）に示す如く、不必要な情報であるノイズ１００２と、影１００３と、不明瞭な罫線１００４と、が含まれている。そこで、本発明では上記変換処理後の画像データに対し以下の各種画像処理を施して上記不必要な情報を除去している。
【００４３】
（Ｓ４〜Ｓ６）変換後の画像データは、ぼかし処理部１１３、ノイズ除去部１１４及び影除去部１１５を通って、各種画像処理が施される。
【００４４】
図２（ｃ）は、図２（ｂ）に示す画像データをぼかし処理部１１３、ノイズ除去部１１４及び影除去部１１５を通して、各種画像処理を施した後の画像データの説明図である。この図から、上記各種画像処理でノイズ１００２や影１００３は除去されているが、不明瞭な罫線１００４は完全には除去しきれていないことが分かる。
【００４５】
（Ｓ７）上記各種処理が施された画像データは、罫線除去部１１６を通って、不明瞭な罫線１００４が除去される。
【００４６】
図４は、罫線除去部１１６の画像処理の詳細フローチャートである。以下、括弧内は図４中のステップ識別符号である。
【００４７】
（Ｓ１０）参照対象と変更対象を分けるため、影除去部１１５で処理された画像データをコピーする。以下、コピー元の画像データを参照画像データとし、コピーして得た画像データを変更画像データと称す。なお、これら画像データはＮ×Ｍの画素数を有しており、本実施例では該画像データを図３に示すようにＮ×Ｍ（Ｎ及びＭはともに整数であり、かつ、Ｎ＞＞１００、Ｍ＞＞１００）画素のマトリクスで表現して説明する。
【００４８】
（Ｓ１１、Ｓ１８）以下のステップＳ１２〜Ｓ１７の処理を、変数iを用いて、参照画像データのマトリクスにおいて１００行目から（Ｎ−１００）行目まで繰り返す。
【００４９】
（Ｓ１２、Ｓ１７）以下のステップＳ１３〜Ｓ１６の処理を、変数ｊを用いて、参照画像データのマトリクスにおいて１００列目から（Ｍ−１００）列目まで繰り返す。これにより、該参照画像データの上下左右の端からそれぞれ９９画素以内の領域以外の画素について以下着目対象となる。
【００５０】
（Ｓ１３）位置（i,j）の画素を、着目画素Dijとする。
【００５１】
（Ｓ１４）図３に示すように、着目画素Dijを中心とする５×５画素のマトリクス内に９０パーセント以上の濃度の着色画素があるか否かを、濃度ヒストグラムを作成して判定する。肯定判定した場合にはステップＳ１７に進み、否定判定した場合には次のステップＳ１５に進む。ここで、図２（ｃ）に示す文字や図に係わる画素が着目画素Dijの場合は肯定判定され、明瞭な罫線１００１及び不明瞭な罫線１００４に係わる画素が着目画素Dijの場合は、その濃度が薄いために否定判定される。
【００５２】
（Ｓ１５）図３に示すように、着目画素Dijを中心とする９×９画素のマトリクス内に着目画素Dijと略同一の色値を有した画素の数が例えば８個以上あるか否か判定する。肯定判定した場合にはステップＳ１７に進み、否定判定した場合には次のステップＳ１６に進む。ここで、９×９画素のマトリクス内における一の画素の色値を（Ｃ２、Ｍ２、Ｙ２）とし、着目画素Dijの色値を（Ｃ３、Ｍ３、Ｙ３）として、該一の画素の色値が例えば以下の条件式を満たす場合に、該一の画素の色値（Ｃ２、Ｍ２、Ｙ２）を上記「略同一の色値」とする。
√（（Ｃ３−Ｃ２）＾２＋（Ｍ３−Ｍ２）＾２＋（Ｙ３−Ｙ２）＾２）≦５
なお、上記式中の記号「＾」は、累乗を意味する。
【００５３】
（Ｓ１６）上記着目画素Dijに対応する変更画像データの画素の着色を除去する（その画素の色値を白色の色値に変更する）。
【００５４】
図２（ｄ）は、罫線除去部１１６による処理後の画像データの説明図である。この図に示すように、画像データに上記ステップＳ１０〜Ｓ１８の処理を施すことにより、図２（ｃ）に示す明瞭な罫線１００１は画像データに残され、不明瞭な罫線１００４は除去される。
【００５５】
（Ｓ８、Ｓ９）図１に戻って、罫線除去後の画素データ（変更画像データ）は、シャープネス処理部１１７により鮮鋭化され、その画像は、プリンタ１６Ｐにより記録用紙上に出力される。
【００５６】
本実施例１によれば、罫線付き原稿を画像読取装置により読み取って得られたＮ×Ｍ画素数を有する画像データに対し、その一の画素を着目画素Dijとして、該着目画素Dijを中心とする５×５画素のマトリクス内で濃度が９０％以上の着色画素がなく、かつ、該着目画素Dijを中心とする９×９画素のマトリクス内で該着目画素Dijとの色差が第２所定の条件以下の画素の個数が第８個より少ないときに、該着目画素の色値を白色値に変更するので、画像データから明瞭な罫線１００１は残し、不明瞭な罫線１００４を除去することができるという効果を奏する。
【００５７】
なお、上述した本発明の実施例は、本発明の説明のための例示であり、本発明の範囲をそれらの実施例にのみ限定する趣旨ではない。本発明は、その要旨を逸脱することなしに、様々な変形が可能である。以下に、その変形の一部を例示する。
【００５８】
本実施例１では、罫線付き原稿１０００をスキャナ１６Ｓでカラー画像として読み取り、このカラー画像データに対して処理を施す場合を例にとったが、上記各画像処理はモノクロ画像データに対する処理にも適用することができる。
【００５９】
また、原稿をコピーする際に、スキャナ１６Ｓで読み取って得られた画像データが画像処理対象として画像処理部１００に入力される場合を例にとったが、例えば、記録ファイルから読み出された画像データが画像処理対象として画像処理部１００に入力されてもよい。さらに、この画像処理部１００で処理を施した後の画像データを、プリンタ１６Ｐに入力するのではなく、記録ファイルに格納するようにしてもよい。
【００６０】
さらに、画像形成装置１０が画像処理部１００を備える場合を例にとったが、パーソナルコンピュータなどの画像処理装置が画像処理部１００を備えるようにしてもよい。
【００６１】
さらにまた、上記ステップＳ１５では、着目画素Dijとの色差が所定以下である画素の個数で判定する場合を例にとったが、着目画素Dijとの濃度差が所定以下である画素の個数で判定するようにしてもよい。
【図面の簡単な説明】
【００６２】
【図１】本発明の実施例１に係わる画像形成装置の一部機能ブロックを示す図である。
【図２】（ａ）は、文字等が書き込まれた罫線付き原稿の説明図であり、（ｂ）は、（ａ）に示す罫線付き原稿を読み取って得られた画像データの説明図である。また（ｃ）は、（ｂ）に示す画像データをぼかし処理部、ノイズ除去部及び影除去部を通して、各種画像処理を施した後の画像データの説明図であり、（ｄ）は、罫線除去部１１６による罫線除去処理後の画像データの説明図である。
【図３】Ｎ×Ｍ画素のマトリクスの説明図である。
【図４】罫線除去部の画像処理の詳細フローチャートである。
【図５】本発明の実施例１に係わる画像形成装置のハードウェア構成を示す概略ブロック図である。
【符号の説明】
【００６３】
１０  画像形成装置
１１  ＭＰＵ
１２  インタフェース
１３Ｅ１  ＥＥＰＲＯＭ
１３Ｅ２  ＥＥＰＲＯＭ
１３Ｄ  ＤＲＡＭ
１４  ＨＤＤ
１５  操作パネル
１６Ｓ  スキャナ
１６Ｐ  プリンタ
１７  ＮＩＣ
１８  ファクシミリモデム
１９  圧縮・伸張ＡＳＩＣ
２０  画像処理プログラム
１００  画像処理部
１１０  Ａ／Ｄ変換部
１１１  画像データ記憶部
１１２  ＣＭＹ変換部
１１３  ぼかし処理部
１１４  ノイズ除去部
１１５  影除去部
１１６  罫線除去部
１１７  シャープネス処理部
１０００  罫線付き原稿
１００１  明瞭な罫線
１００２  ノイズ
１００３  影
１００４  不明瞭な罫線
【図１】
0005090881.tif 000002
【図２】
0005090881.tif 000003
【図３】
0005090881.tif 000004
【図４】
0005090881.tif 000005
【図５】
0005090881.tif 000006